(57)【要約】【課題】  情報表示システムにおいて、情報処理装置から情報表示装置へ送信するデータのサイズを更に縮小し、情報表示装置の表示画面にコンテンツを表示するまでの時間を短縮する。【解決手段】  アプリケーションサーバ２００は、現金自動取引装置１００からのリクエストに応じて、現金自動取引装置１００の顧客操作画面表示装置５０の表示画面にコンテンツを表示させるために、画面ＩＤと、次画面データとを決定し、現金自動取引装置１００に送信する。そして、現金自動取引装置１００は、アプリケーションサーバ２００から受信した画面ＩＤに対応するＨＴＭＬファイルと、次画面データとを用いてコンテンツを生成し、顧客操作画面表示装置５０の表示画面に表示する。【選択図】  図１
2006350942.tif 000002
【特許請求の範囲】
【請求項１】
表示画面に所定のコンテンツを表示する情報表示装置と、前記表示画面に前記コンテンツを表示するための所定の処理を実行する情報処理装置とを所定のネットワークを介して接続することによって構成された情報表示システムであって、
前記コンテンツは、該コンテンツの文書構造、および、レイアウトを規定した画面データと、該コンテンツについて、前記処理結果に応じて変動しない静的要素を示す静的要素データと、前記処理結果に応じて変動する動的要素を示す動的要素データとを含んでおり、
前記情報表示装置は、前記画面データ、および、前記静的要素データを関連付けて保持しており、
前記情報表示装置は、前記情報処理装置によって前記動的要素データを決定するための処理を特定する処理特定情報を、前記情報処理装置に送信し、
前記情報処理装置は、前記情報表示装置から受信した前記処理特定情報に基づいて特定された前記処理を実行して前記動的要素データを決定し、該動的要素データを、前記情報表示装置に送信し、
前記情報表示装置は、前記画面データ、および、前記静的要素データと、前記情報処理装置から受信した前記動的要素データとを用いて、前記コンテンツを生成し、該コンテンツを前記表示画面に表示する、
情報表示システム。
【請求項２】
請求項１記載の情報表示システムであって、
前記動的要素データには、デフォルト値が設定されており、
前記情報表示装置は、さらに、前記動的要素データのデフォルト値を保持しており、
前記情報処理装置は、前記処理の結果、前記情報表示装置に送信すべき前記動的要素データが、前記デフォルト値と異なるときに、該動的要素データを前記情報表示装置に送信し、
前記情報表示装置は、前記画面データ、および、前記静的要素データと、前記情報処理装置から受信した前記動的要素データとを用いて、前記コンテンツを生成し、該コンテンツを前記表示画面に表示する、
情報表示システム。
【請求項３】
請求項１記載の情報表示システムであって、
前記動的要素データには、デフォルト値が設定されており、
前記情報表示装置は、さらに、前記動的要素データのデフォルト値を保持しており、
前記情報処理装置は、前記処理の結果、前記情報表示装置に送信すべき前記動的要素データが、前記デフォルト値と同じであるときに、該動的要素データの前記情報表示装置への送信を禁止し、
前記情報表示装置は、前記画面データ、および、前記静的要素データと、前記動的要素データのデフォルト値とを用いて、前記コンテンツを生成し、該コンテンツを前記表示画面に表示する、
情報表示システム。
【請求項４】
請求項１記載の情報表示システムであって、
前記情報表示装置は、複数の前記画面データ、および、前記静的要素データを、さらに、前記画面データを特定するための画面特定情報と対応付けて保持しており、
前記情報処理装置は、前記情報表示装置から受信した前記処理特定情報に基づいて特定された前記処理を実行して、さらに、前記情報表示装置に送信すべき前記画面特定情報を決定し、該決定された前記画面特定情報を、前記情報表示装置に送信し、
前記情報表示装置は、さらに、前記情報処理装置から受信した前記画面特定情報に基づいて特定された前記画面データを用いて、前記コンテンツを生成し、該コンテンツを前記表示画面に表示する、
情報表示システム。
【請求項５】
請求項４記載の情報表示システムであって、
前記動的要素データには、デフォルト値が設定されており、
前記情報表示装置は、さらに、前記動的要素データのデフォルト値を、前記画面特定情報と対応付けて保持しており、
前記情報処理装置は、前記処理の結果、前記情報表示装置に送信すべき前記動的要素データが、前記デフォルト値と異なるときに、該動的要素データを前記情報表示装置に送信し、
前記情報表示装置は、前記情報処理装置から受信した前記画面特定情報に基づいて特定された前記画面データ、および、前記静的要素データと、前記情報処理装置から受信した前記動的要素データとを用いて、前記コンテンツを生成し、該コンテンツを前記表示画面に表示する、
情報表示システム。
【請求項６】
請求項４記載の情報表示システムであって、
前記動的要素データには、デフォルト値が設定されており、
前記情報表示装置は、さらに、前記動的要素データのデフォルト値を、前記画面特定情報と対応付けて保持しており、
前記情報処理装置は、前記処理の結果、前記情報表示装置に送信すべき前記動的要素データが、前記デフォルト値と同じであるときに、該動的要素データの前記情報表示装置への送信を禁止し、
前記情報表示装置は、前記情報処理装置から受信した前記画面特定情報に基づいて特定された前記画面データ、および、前記静的要素データと、前記動的要素データのデフォルト値とを用いて、前記コンテンツを生成し、該コンテンツを前記表示画面に表示する、
情報表示システム。
【請求項７】
請求項１記載の情報表示システムであって、
前記情報処理装置によって前記動的要素データを決定するための処理は、複数の工程に区分されており、
前記処理特定情報は、さらに、前記複数の工程のうちのいずれかを特定するための工程特定情報を含む、
情報表示システム。
【請求項８】
請求項１記載の情報表示システムであって、
前記情報表示装置は、現金自動取引装置に備えられており、
前記処理特定情報は、前記現金自動取引装置を利用する顧客を識別するための顧客識別情報を含む、
情報表示システム。
【請求項９】
表示画面に所定のコンテンツを表示する情報表示装置と、前記表示画面に前記コンテンツを表示するための所定の処理を実行する情報処理装置とを所定のネットワークを介して接続することによって構成された情報表示システムに用いられる情報表示装置であって、
前記コンテンツは、該コンテンツの文書構造、および、レイアウトを規定した画面データと、該コンテンツについて、前記処理結果に応じて変動しない静的要素を示す静的要素データと、前記処理結果に応じて変動する動的要素を示す動的要素データとを含んでおり、
前記情報表示装置は、
前記画面データ、および、前記静的要素データを関連付けて記憶する記憶部と、
前記情報処理装置によって前記動的要素データを決定するための処理を特定する処理特定情報を、前記情報処理装置に送信する送信部と、
前記情報処理装置から、前記動的要素データを受信する受信部と、
前記記憶部を参照して、前記画面データ、および、前記静的要素データと、前記情報処理装置から受信した前記動的要素データとを用いて、前記コンテンツを生成する生成部と、
該生成されたコンテンツを前記表示画面に表示する表示制御部と、
を備える情報表示装置。
【請求項１０】
請求項９記載の情報表示装置であって、
前記記憶部は、複数の前記画面データ、および、前記静的要素データを、さらに、前記画面データを特定するための画面特定情報と対応付けて記憶し、
前記受信部は、前記情報処理装置から、さらに、前記表示画面に表示すべきコンテンツの前記画面特定情報を受信し、
前記生成部は、前記記憶部を参照して、前記情報処理装置から受信した前記画面特定情報に基づいて特定された前記画面データ、および、前記静的要素データと、前記情報処理装置から受信した前記動的要素データとを用いて、前記コンテンツを生成する、
情報表示装置。
【請求項１１】
表示画面に所定のコンテンツを表示する情報表示装置と、前記表示画面に前記コンテンツを表示するための所定の処理を実行する情報処理装置とを所定のネットワークを介して接続することによって構成された情報表示システムに用いられる情報処理装置であって、
前記コンテンツは、該コンテンツの文書構造、および、レイアウトを規定した画面データと、該コンテンツについて、前記処理結果に応じて変動しない静的要素を示す静的要素データと、前記処理結果に応じて変動する動的要素を示す動的要素データとを含んでおり、
前記情報処理装置は、
前記情報表示装置から、前記動的要素データを決定するための処理を特定する処理特定情報を受信する受信部と、
該受信した前記処理特定情報に基づいて特定された前記処理を実行して、前記情報表示装置に送信すべき前記画面特定情報、および、前記動的要素データを決定する処理実行部と、
該決定された前記画面特定情報、および、前記動的要素データを、前記情報表示装置に送信する送信部と、
を備える情報処理装置。
【請求項１２】
表示画面に所定のコンテンツを表示する情報表示装置と、前記表示画面に前記コンテンツを表示するための所定の処理を実行する情報処理装置とを所定のネットワークを介して接続することによって構成された情報表示システムに用いられる情報表示装置の制御方法であって、
前記コンテンツは、該コンテンツの文書構造、および、レイアウトを規定した画面データと、該コンテンツについて、前記処理結果に応じて変動しない静的要素を示す静的要素データと、前記処理結果に応じて変動する動的要素を示す動的要素データとを含んでおり、
前記画面データ、および、前記静的要素データを関連付けて所定の記憶部に記憶する工程と、
前記情報処理装置によって前記動的要素データを決定するための処理を特定する処理特定情報を、前記情報処理装置に送信する工程と、
前記情報処理装置から、前記動的要素データを受信する工程と、
前記記憶部を参照して、前記画面データ、および、前記静的要素データと、前記情報処理装置から受信した前記動的要素データとを用いて、コンテンツを生成する工程と、
該生成されたコンテンツを前記表示画面に表示する工程と、
を備える制御方法。
【請求項１３】
表示画面に所定のコンテンツを表示する情報表示装置と、前記表示画面に前記コンテンツを表示するための所定の処理を実行する情報処理装置とを所定のネットワークを介して接続することによって構成された情報表示システムに用いられる情報処理装置の制御方法であって、
前記コンテンツは、該コンテンツの文書構造、および、レイアウトを規定した画面データと、該コンテンツについて、前記処理結果に応じて変動しない静的要素を示す静的要素データと、前記処理結果に応じて変動する動的要素を示す動的要素データとを含んでおり、
前記情報表示装置から、前記動的要素データを決定するための処理を特定する処理特定情報を受信する工程と、
該受信した前記処理特定情報に基づいて特定された前記処理を実行して、前記情報表示装置に送信すべき前記画面特定情報、および、前記動的要素データを決定する工程と、
該決定された前記画面特定情報、および、前記動的要素データを、前記情報表示装置に送信する工程と、
を備える制御方法。
【請求項１４】
表示画面に所定のコンテンツを表示する情報表示装置と、前記表示画面に前記コンテンツを表示するための所定の処理を実行する情報処理装置とを所定のネットワークを介して接続することによって構成された情報表示システムに用いられる情報表示装置を制御するためのコンピュータプログラムであって、
前記コンテンツは、該コンテンツの文書構造、および、レイアウトを規定した画面データと、該コンテンツについて、前記処理結果に応じて変動しない静的要素を示す静的要素データと、前記処理結果に応じて変動する動的要素を示す動的要素データとを含んでおり、
前記画面データ、および、前記静的要素データを関連付けて所定の記憶部に記憶する機能と、
前記情報処理装置によって前記動的要素データを決定するための処理を特定する処理特定情報を、前記情報処理装置に送信する機能と、
前記情報処理装置から、前記動的要素データを受信する機能と、
前記記憶部を参照して、前記画面データ、および、前記静的要素データと、前記情報処理装置から受信した前記動的要素データとを用いて、コンテンツを生成する工程と、
該生成されたコンテンツを前記表示画面に表示する機能と、
をコンピュータに実現させるためのコンピュータプログラム。
【請求項１５】
表示画面に所定のコンテンツを表示する情報表示装置と、前記表示画面に前記コンテンツを表示するための所定の処理を実行する情報処理装置とを所定のネットワークを介して接続することによって構成された情報表示システムに用いられる情報処理装置を制御するためのコンピュータプログラムであって、
前記コンテンツは、該コンテンツの文書構造、および、レイアウトを規定した画面データと、該コンテンツについて、前記処理結果に応じて変動しない静的要素を示す静的要素データと、前記処理結果に応じて変動する動的要素を示す動的要素データとを含んでおり、
前記情報表示装置から、前記動的要素データを決定するための処理を特定する処理特定情報を受信する機能と、
該受信した前記処理特定情報に基づいて特定された前記処理を実行して、前記情報表示装置に送信すべき前記画面特定情報、および、前記動的要素データを決定する機能と、
該決定された前記画面特定情報、および、前記動的要素データを、前記情報表示装置に送信する機能と、
をコンピュータに実現させるためのコンピュータプログラム。
【請求項１６】
請求項１４または１５記載のコンピュータプログラムをコンピュータ読み取り可能に記録した記録媒体。
【発明の詳細な説明】
【技術分野】
【０００１】
本発明は、情報表示装置、情報処理装置、および、これらを所定のネットワークを介して接続することによって構成された情報表示システムに関するものである。
【背景技術】
【０００２】
従来、ＷＷＷサーバ（情報処理装置）が、クライアント端末（情報表示装置）からの要求に応じて、所定のプログラムを実行し、その結果に応じて、Ｗｅｂページ（コンテンツ）を動的に生成してクライアント端末に送信し、クライアント端末が、Ｗｅｂブラウザを用いて、ＷＷＷサーバから受信したＷｅｂページを表示するクライアント・サーバ・システム（以下、情報表示システムと呼ぶ）が知られている。このようなシステムでは、ＷＷＷサーバは、クライアント端末における表示等に必要なデータを全て記述したＷｅｂページを生成していた。
【０００３】
ところで、ＷＷＷサーバによって生成されたＷｅｂページに、画像や音声など、文字以外のデータが含まれる場合等、Ｗｅｂページのデータサイズが大きい場合には、データサイズが小さい場合と比較して、クライアント端末がＷＷＷサーバにＷｅｂページを要求してから取得するまでに、長い時間を要する。この場合、クライアント端末がＷＷＷサーバにＷｅｂページを要求してからＷｅｂページを表示するまでにも長い時間を要することになる。そして、この表示待ち時間は、クライアント端末のユーザにストレスを感じさせる。これは、特に、クライアント端末とＷＷＷサーバとが、通信速度が比較的遅いネットワークを介して接続されている場合に顕著である。
【０００４】
近年では、上述したクライアント端末における表示待ち時間の短縮を図るための種々の技術が提案されている（下記特許文献参照）。例えば、下記特許文献１には、随時更新される更新情報をＷＷＷサーバが保持し、随時更新されない非更新情報をクライアント端末が保持し、クライアント端末が、ＷＷＷサーバから受信した更新情報と、自らが保持する非更新情報とを同一表示領域内に表示する技術が記載されている。この技術では、ＷＷＷサーバからクライアント端末へ送信するデータのサイズを減少させることができるので、上述した表示待ち時間の短縮が可能である。
【０００５】
【特許文献１】特開平９−２８８６７７号公報
【特許文献２】特開平２００１−１６７１９０号公報
【発明の開示】
【発明が解決しようとする課題】
【０００６】
しかし、上記特許文献１に記載された技術では、更新情報、および、非更新情報は、共通のページ記述言語で記述されている。このページ記述言語で記述されたデータは、多数のタグを含んでおり、このタグは、データサイズの更なる縮小を阻害する。つまり、上記特許文献１に記載された技術では、ＷＷＷサーバからクライアント端末に送信するデータのサイズの縮小、クライアント端末におけるＷｅｂページの表示待ち時間の短縮に関して、改善の余地があった。
【０００７】
本発明は、上述の課題を解決するためになされたものであり、情報表示システムにおいて、クライアント端末の表示画面にコンテンツを表示するために、情報処理装置としてのサーバから情報表示装置としてのクライアント端末へ送信するデータのサイズを更に縮小し、クライアント端末の表示画面にコンテンツを表示するまでの時間を短縮することを目的とする。
【課題を解決するための手段】
【０００８】
上述の課題の少なくとも一部を解決するため、本発明では、情報表示システムに、以下の構成を採用した。すなわち、本発明の情報表示システムは、表示画面に所定のコンテンツを表示する情報表示装置と、前記表示画面に前記コンテンツを表示するための所定の処理を実行する情報処理装置とを所定のネットワークを介して接続することによって構成された情報表示システムであって、前記コンテンツは、該コンテンツの文書構造、および、レイアウトを規定した画面データと、該コンテンツについて、前記処理結果に応じて変動しない静的要素を示す静的要素データと、前記処理結果に応じて変動する動的要素を示す動的要素データとを含んでおり、前記情報表示装置は、前記画面データ、および、前記静的要素データを関連付けて保持しており、前記情報表示装置は、前記情報処理装置によって前記動的要素データを決定するための処理を特定する処理特定情報を、前記情報処理装置に送信し、前記情報処理装置は、前記情報表示装置から受信した前記処理特定情報に基づいて特定された前記処理を実行して前記動的要素データを決定し、該動的要素データを、前記情報表示装置に送信し、前記情報表示装置は、前記画面データ、および、前記静的要素データと、前記情報処理装置から受信した前記動的要素データとを用いて、前記コンテンツを生成し、該コンテンツを前記表示画面に表示することを要旨とする。
【０００９】
ここで、「画面データ」としては、コンテンツの文書構造、および、レイアウトを、例えば、ＨＴＭＬ（HyperText Markup Language）や、ＸＨＴＭＬ（eXtensible HyperText Markup Language）や、ＸＭＬ（eXtensible Markup Language）等のマークアップ言語で規定したファイル等を用いることができる。そして、この場合、各マークアップ言語のタグの内容が、「静的要素データ」、または、「動的要素データ」に相当する。これらは、後述する情報表示装置や、情報処理装置の発明においても同じである。
【００１０】
本発明の情報表示システムでは、情報表示装置の表示画面にコンテンツを表示させるために、情報処理装置は、先に説明した従来技術のように、ページ記述言語で記述されたＷｅｂページを生成して情報表示装置に送信する必要はない。したがって、情報処理装置から情報表示装置へ送信するデータのサイズを従来よりも縮小することができ、通信時間を短縮することができる。この結果、情報表示装置の表示画面にコンテンツを表示するまでの時間を短縮することができる。
【００１１】
上記情報表示システムにおいて、前記動的要素データには、デフォルト値が設定されており、前記情報表示装置は、さらに、前記動的要素データのデフォルト値を保持しており、前記情報処理装置は、前記処理の結果、前記情報表示装置に送信すべき前記動的要素データが、前記デフォルト値と異なるときに、該動的要素データを前記情報表示装置に送信し、前記情報表示装置は、前記画面データ、および、前記静的要素データと、前記情報処理装置から受信した前記動的要素データとを用いて、前記コンテンツを生成し、該コンテンツを前記表示画面に表示するようにしてもよい。
【００１２】
また、本発明の情報表示システムにおいて、前記動的要素データには、デフォルト値が設定されており、前記情報表示装置は、さらに、前記動的要素データのデフォルト値を保持しており、前記情報処理装置は、前記処理の結果、前記情報表示装置に送信すべき前記動的要素データが、前記デフォルト値と同じであるときに、該動的要素データの前記情報表示装置への送信を禁止し、前記情報表示装置は、前記画面データ、および、前記静的要素データと、前記動的要素データのデフォルト値とを用いて、前記コンテンツを生成し、該コンテンツを前記表示画面に表示するようにしてもよい。
【００１３】
なお、情報処理装置が情報表示装置に送信すべき動的要素データに、デフォルト値と異なるデータと、デフォルト値と同じデータとが含まれる場合には、デフォルト値と異なるデータだけを送信すればよい。
【００１４】
こうすることによって、情報処理装置から情報表示装置へ送信するデータのサイズを更に縮小することができ、通信時間を更に短縮することができる。この結果、情報表示装置の表示画面にコンテンツを表示するまでの時間を更に短縮することができる。
【００１５】
本発明の情報表示システムにおいて、前記情報表示装置は、複数の前記画面データ、および、前記静的要素データを、さらに、前記画面データを特定するための画面特定情報と対応付けて保持しており、
前記情報処理装置は、前記情報表示装置から受信した前記処理特定情報に基づいて特定された前記処理を実行して、さらに、前記情報表示装置に送信すべき前記画面特定情報を決定し、該決定された前記画面特定情報を、前記情報表示装置に送信し、
前記情報表示装置は、さらに、前記情報処理装置から受信した前記画面特定情報に基づいて特定された前記画面データを用いて、前記コンテンツを生成し、該コンテンツを前記表示画面に表示するようにしてもよい。
【００１６】
ここで、「画面特定情報」としては、例えば、画面データを記したファイルのファイル名や、各ファイルにそれぞれ割り振られたＩＤなどを用いることができる。
【００１７】
本発明によって、情報表示装置は、複数の画面データ、および、静的要素データの中から、情報処理装置によって決定された画面特定情報に対応する画面データ、および、静的要素データを選択してコンテンツを生成し、表示することができる。
【００１８】
上記情報表示システムにおいて、前記動的要素データには、デフォルト値が設定されており、前記情報表示装置は、さらに、前記動的要素データのデフォルト値を、前記画面特定情報と対応付けて保持しており、前記情報処理装置は、前記処理の結果、前記情報表示装置に送信すべき前記動的要素データが、前記デフォルト値と異なるときに、該動的要素データを前記情報表示装置に送信し、前記情報表示装置は、前記情報処理装置から受信した前記画面特定情報に基づいて特定された前記画面データ、および、前記静的要素データと、前記情報処理装置から受信した前記動的要素データとを用いて、前記コンテンツを生成し、該コンテンツを前記表示画面に表示するようにしてもよい。
【００１９】
また、前記動的要素データには、デフォルト値が設定されており、前記情報表示装置は、さらに、前記動的要素データのデフォルト値を、前記画面特定情報と対応付けて保持しており、前記情報処理装置は、前記処理の結果、前記情報表示装置に送信すべき前記動的要素データが、前記デフォルト値と同じであるときに、該動的要素データの前記情報表示装置への送信を禁止し、前記情報表示装置は、前記情報処理装置から受信した前記画面特定情報に基づいて特定された前記画面データ、および、前記静的要素データと、前記動的要素データのデフォルト値とを用いて、前記コンテンツを生成し、該コンテンツを前記表示画面に表示するようにしてもよい。
【００２０】
こうすることによって、情報処理装置から情報表示装置へ送信するデータのサイズを更に縮小することができ、通信時間を更に短縮することができる。この結果、情報表示装置の表示画面にコンテンツを表示するまでの時間を更に短縮することができる。
【００２１】
本発明の情報表示システムにおいて、前記情報処理装置によって前記動的要素データを決定するための処理は、複数の工程に区分されており、前記処理特定情報は、さらに、前記複数の工程のうちのいずれかを特定するための工程特定情報を含むようにしてもよい。
【００２２】
こうすることによって、情報処理装置は、工程特定情報に基づいて工程を特定し、処理を実行することができる。
【００２３】
本発明の情報表示システムにおいて、前記情報表示装置は、現金自動取引装置に備えられており、前記処理特定情報は、前記現金自動取引装置を利用する顧客を識別するための顧客識別情報を含むようにしてもよい。
【００２４】
こうすることによって、現金自動取引装置と情報処理装置との通信時間を短縮し、表示画面の切り換えを短時間で行うことができるので、現金自動取引装置を操作する顧客の操作性を向上させることができる。なお、上記情報表示装置は、いわゆる自動契約装置や、ＫＩＯＳＫ端末などに備えられるようにしてもよい。
【００２５】
本発明は、情報表示装置の発明として構成することもできる。すなわち、本発明の情報表示装置は、表示画面に所定のコンテンツを表示する情報表示装置と、前記表示画面に前記コンテンツを表示するための所定の処理を実行する情報処理装置とを所定のネットワークを介して接続することによって構成された情報表示システムに用いられる情報表示装置であって、前記コンテンツは、該コンテンツの文書構造、および、レイアウトを規定した画面データと、該コンテンツについて、前記処理結果に応じて変動しない静的要素を示す静的要素データと、前記処理結果に応じて変動する動的要素を示す動的要素データとを含んでおり、前記情報表示装置は、前記画面データ、および、前記静的要素データを関連付けて記憶する記憶部と、前記情報処理装置によって前記動的要素データを決定するための処理を特定する処理特定情報を、前記情報処理装置に送信する送信部と、前記情報処理装置から、前記動的要素データを受信する受信部と、前記記憶部を参照して、前記画面データ、および、前記静的要素データと、前記情報処理装置から受信した前記動的要素データとを用いて、前記コンテンツを生成する生成部と、該生成されたコンテンツを前記表示画面に表示する表示制御部と、を備えることを要旨とする。
【００２６】
本発明では、情報表示装置の表示画面にコンテンツを表示させるために、情報表示装置は、情報処理装置からページ記述言語で記述されたＷｅｂページを受信する必要はない。したがって、情報表示装置が情報処理装置から受信するデータのサイズを従来よりも縮小することができ、通信時間を短縮することができる。この結果、情報表示装置の表示画面にコンテンツを表示するまでの時間を短縮することができる。
【００２７】
なお、上記情報表示装置において、前記記憶部は、複数の前記画面データ、および、前記静的要素データを、さらに、前記画面データを特定するための画面特定情報と対応付けて記憶し、前記受信部は、前記情報処理装置から、さらに、前記表示画面に表示すべきコンテンツの前記画面特定情報を受信し、前記生成部は、前記記憶部を参照して、前記情報処理装置から受信した前記画面特定情報に基づいて特定された前記画面データ、および、前記静的要素データと、前記情報処理装置から受信した前記動的要素データとを用いて、前記コンテンツを生成するようにしてもよい。
【００２８】
こうすることによって、情報表示装置は、複数の画面データ、および、静的要素データの中から、情報処理装置によって決定された画面特定情報に対応する画面データ、および、静的要素データを選択してコンテンツを生成し、表示することができる。
【００２９】
また、本発明は、情報処理装置の発明として構成することもできる。すなわち、本発明の情報処理装置は、表示画面に所定のコンテンツを表示する情報表示装置と、前記表示画面に前記コンテンツを表示するための所定の処理を実行する情報処理装置とを所定のネットワークを介して接続することによって構成された情報表示システムに用いられる情報処理装置であって、前記コンテンツは、該コンテンツの文書構造、および、レイアウトを規定した画面データと、該コンテンツについて、前記処理結果に応じて変動しない静的要素を示す静的要素データと、前記処理結果に応じて変動する動的要素を示す動的要素データとを含んでおり、前記情報処理装置は、前記情報表示装置から、前記動的要素データを決定するための処理を特定する処理特定情報を受信する受信部と、該受信した前記処理特定情報に基づいて特定された前記処理を実行して、前記情報表示装置に送信すべき前記画面特定情報、および、前記動的要素データを決定する処理実行部と、該決定された前記画面特定情報、および、前記動的要素データを、前記情報表示装置に送信する送信部と、を備えることを要旨とする。
【００３０】
本発明では、情報表示装置の表示画面にコンテンツを表示させるために、情報処理装置は、ページ記述言語で記述されたＷｅｂページを生成して情報表示装置に送信する必要はない。したがって、情報処理装置から情報表示装置へ送信するデータのサイズを従来よりも縮小することができ、通信時間を短縮することができる。この結果、情報表示装置の表示画面にコンテンツを表示するまでの時間を短縮することができる。
【００３１】
本発明は、上述した種々の特徴を必ずしも全て備えている必要はなく、その一部を省略したり、適宜、組み合わせたりして構成することができる。本発明は、上述の情報表示システム、情報表示装置、情報処理装置としての構成の他、これらの制御方法の発明として構成することもできる。また、これらを実現するコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００３２】
本発明をコンピュータプログラムまたはそのプログラムを記録した記録媒体等として構成する場合には、情報表示システム、情報表示装置、情報処理装置の動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００３３】
以下、本発明の実施の形態について、実施例に基づき以下の順序で説明する。
Ａ．現金自動取引システムの構成：
Ｂ．アプリケーションサーバ：
Ｃ．ブラウザ：
Ｄ．表示画面切換処理：
Ｅ．変形例：
【００３４】
Ａ．現金自動取引システムの構成：
図１は、本発明の情報表示システムを適用した現金自動取引システム１０００の概略構成を示す説明図である。この現金自動取引システム１０００は、現金自動取引装置１００と、アプリケーションサーバ２００と、ホストコンピュータ３００とを備えている。ホストコンピュータ３００は、口座番号や、暗証番号や、口座残高等の各種顧客データを管理している。アプリケーションサーバ２００は、顧客による現金自動取引装置１００の操作に応じて、現金自動取引装置１００や、ホストコンピュータ３００と通信を行い、預け入れや、振り込みや、残高照会等の各種取引業務を実行する。このアプリケーションサーバ２００については、後に詳述する。本実施例では、アプリケーションサーバ２００と、ホストコンピュータ３００とは別体であるものとしたが、一体であってもよい。現金自動取引装置１００は、後述するように、アプリケーションサーバ２００から取得した情報に基づいて、コンテンツを生成して表示する機能を有しており、本発明における情報表示装置に相当する。また、アプリケーションサーバ２００は、本発明における情報処理装置に相当する。
【００３５】
なお、本実施例では、現金自動取引装置１００は、金融機関の店舗外に設置されており、金融機関の店舗内に設置されたアプリケーションサーバ２００と、５６（Ｋｂｐｓ）の比較的通信速度が遅いローカルエリアネットワークＬＡＮを介して接続されている。また、アプリケーションサーバ２００と、ホストコンピュータ３００とは、１００（Ｍｂｐｓ）の比較的通信速度が速いインターネットＩＮＴを介して接続されている。
【００３６】
現金自動取引装置１００は、現金取扱装置１０と、カード読取装置２０と、通帳取扱装置３０と、明細票印字装置４０と、顧客操作画面表示装置５０と、通信装置６０と、外部記憶装置７０と、これら各装置を制御する制御装置８０とを備えている。
【００３７】
現金取扱装置１０は、紙幣や硬貨の搬送機構や、収納ボックス等を備えており、現金の入出金を行う。カード読取装置２０は、磁気カードリーダや、ＩＣカードリーダ等を備えており、挿入された磁気カードや、ＩＣカードの読み取りを行う。通帳取扱装置３０は、スキャナや、印字装置等を備えており、挿入された通帳の読み取りや、記帳を行う。明細票印字装置４０は、取引内容に応じて、明細票の発行を行う。顧客操作画面表示装置５０は、後述するブラウザ８７によって、顧客が所望の取引を行うための操作画面を表示する。通信装置６０は、アプリケーションサーバ２００との通信を行う。外部記憶装置７０は、顧客操作画面表示装置５０の表示画面に表示するためのＨＴＭＬファイルや、ＨＴＭＬファイルからリンクされた静止画ファイルや、動画ファイルや、音声ファイルを格納している。ＨＴＭＬファイルは、表示すべきコンテンツ（画面）ごとに用意されており、後述する画面ＩＤと対応付けて格納されている。
【００３８】
なお、ＨＴＭＬファイルには、表示すべきコンテンツの文書構造や、レイアウトが規定されており、本発明における画面データに相当する。また、顧客操作画面表示装置５０の表示画面に表示するためにＨＴＭＬファイルに予め記述されたテキストデータや、ＨＴＭＬファイルからリンクされた静止画ファイルや、動画ファイルや、音声ファイルは本発明における静的要素データに相当する。また、画面ＩＤは、本発明における画面特定情報に相当する。
【００３９】
制御装置８０は、図示しないＣＰＵやメモリを備えており、このＣＰＵがメモリ上で所定のプログラムを実行することによって、上述した各装置を制御するための、現金取扱装置制御部８１、カード読取装置制御部８２、通帳取扱装置制御部８３、明細票印字装置制御部８４、顧客操作画面表示装置制御部８５、通信装置制御部８６や、アプリケーションサーバ２００から受信したデータや、外部記憶装置７０に格納されたファイル等を用いて、顧客操作画面表示装置５０の操作画面上に表示すべきコンテンツを生成するブラウザ８７、これらを制御する主制御部８８を構成している。
【００４０】
Ｂ．アプリケーションサーバ：
図２は、アプリケーションサーバ２００の構成を示す説明図である。アプリケーションサーバ２００は、業務プログラム記憶部２１０と、画面表示データ格納部２２０と、動的要素リスト記憶部２３０と、業務処理部２４０と、次画面データ生成部２５０と、通信部２６０とを備えている。
【００４１】
業務プログラム記憶部２１０は、預け入れや、振り込みや、残高照会等の各種取引業務を実行するための複数の業務プログラムを記憶している。各取引業務は、後述するように、複数の工程に区分されており、各業務プログラムは、各工程ごとに用意されている。
【００４２】
業務処理部２４０は、現金自動取引装置１００からのリクエストに対応する業務プログラムを業務プログラム記憶部２１０から呼び出し、業務処理を実行する。この業務処理によって、表示すべきコンテンツに対応する画面ＩＤ、および、現金自動取引装置１００の顧客操作画面表示装置５０の表示画面に表示されるデータの一部である画面表示データが決定される。この画面表示データは、業務処理部２４０による業務処理に応じて動的に変動する要素のデータであり、本発明における動的要素データに相当する。以下、画面表示データに含まれる各データを動的要素データと呼ぶ。
【００４３】
画面表示データ格納部２２０は、業務処理部２４０によって決定された画面表示データを、一時的に格納する。
【００４４】
動的要素リスト記憶部２３０は、複数の動的要素リストを、画面ＩＤと対応付けて記憶している。各動的要素リストには、後述するように、画面ＩＤによって特定されるコンテンツに含まれるすべての動的要素データのＩＤ、属性、および、属性値のデフォルト値がそれぞれ記されている。なお、画面ＩＤは、現金自動取引装置１００における画面ＩＤと対応している。
【００４５】
次画面データ生成部２５０は、動的要素リスト記憶部２３０を参照し、業務処理部２４０によって決定された画面ＩＤに対応する動的要素リストと、画面表示データ格納部２２０に格納された画面表示データとに基づいて、現金自動取引装置１００に送信するための次画面データを生成する。この次画面データの生成については、後述する。
【００４６】
通信部２６０は、現金自動取引装置１００や、ホストコンピュータ３００と各種データのやり取りを行う。
【００４７】
図３は、業務処理部２４０が実行する業務処理について示す説明図である。先に説明したように、各業務処理は、複数の工程に区分されている。本実施例では、各工程は、現金自動取引装置１００の顧客操作画面表示装置５０の表示画面に表示すべき画面の切り換え単位で区分されている。例えば、「業務Ａ」は、「ＳＴＥＰ１」〜「ＳＴＥＰ４」の４つの工程に区分されており、各工程について、それぞれ業務プログラム「ＰＲＧ＃Ａ−１」〜「ＰＲＧ＃Ａ−４」が用意されている。業務処理部２４０は、例えば、現金自動取引装置１００から業務ＡのＳＴＥＰ１の処理がリクエストされると、業務プログラム記憶部２１０から「ＰＲＧ＃Ａ−１」を呼び出し、それを実行する。そして、その結果として、画面ＩＤ「Ｇ_ＩＤ＃Ａ−１」、および、画面表示データを決定する。業務処理部２４０は、他の工程の業務処理がリクエストされた場合にも同様の処理を行う。
【００４８】
図４は、次画面データ生成部２５０が実行する次画面データの生成について示す説明図である。図４（ａ）に、業務処理部２４０によって決定された画面表示データの一例を示した。また、図４（ｂ）に、動的要素リスト記憶部２３０に記憶されている動的要素リストの一例を示した。また、図４（ｃ）には、図４（ａ）に示した画面表示データ、および、図４（ｂ）に示した動的要素リストに基づいて生成される次画面データを示した。
【００４９】
画面表示データは、先に説明したように、現金自動取引装置１００の顧客操作画面表示装置５０の表示画面に表示すべきコンテンツに含まれ、業務処理部２４０による業務処理に応じて動的に変動する動的要素データの集合である。例えば、図４（ａ）の最上段に示した動的要素データ「Ｖ_ＩＤ０００１．ｖｉｓｉｂｉｌｉｔｙ＝"ｔｒｕｅ"」において、「Ｖ_ＩＤ０００１」、「ｖｉｓｉｂｉｌｉｔｙ」、「ｔｒｕｅ」は、それぞれ動的要素データのＩＤ、属性、属性値を示している。そして、「Ｖ_ＩＤ０００１．ｖｉｓｉｂｉｌｉｔｙ＝"ｔｒｕｅ"」は、「Ｖ_ＩＤ０００１」というＩＤを持つ対象要素の「ｖｉｓｉｂｉｌｉｔｙ」という属性に「ｔｒｕｅ」という値を設定することを示しており、「Ｖ_ＩＤ０００１」というＩＤを持つ対象要素を「可視状態」にすることを意味している。
【００５０】
図４（ｂ）に示したように、動的要素リストには、現金自動取引装置１００の顧客操作画面表示装置５０の表示画面に表示すべきコンテンツに含まれる動的要素データのＩＤ、属性、および、属性値のデフォルト値が記されている。
【００５１】
次画面データ生成部２５０は、画面表示データの内容と、対応する動的要素リストの内容とを比較して、その差分のデータを次画面データとして生成する。図示した例では、図４（ａ）に示した画面表示データを、図４（ｂ）に示した動的要素リストと比較すると、上から３，４，５番目の動的要素データがデフォルト値と異なっていることが分かる。したがって、次画面データ生成部２５０は、このデフォルト値と異なる動的要素データを次画面データとして生成する。この次画面データは、画面ＩＤとともに現金自動取引装置１００に送信される。
【００５２】
Ｃ．ブラウザ：
アプリケーションサーバ２００から画面ＩＤ、および、次画面データを受信した現金自動取引装置１００は、これらを用いて、ブラウザ８７によってコンテンツを生成し、そのコンテンツを顧客操作画面表示装置５０に表示する。
【００５３】
図５は、ブラウザ８７の構成を示す説明図である。ブラウザ８７は、データ取得部８７１と、表示画面生成部８７２と、画面描画部８７３と、画面切換部８７４とを備えている。また、顧客操作画面表示装置５０に表示されるコンテンツが描画された表示フレーム８７５と、次に表示すべきコンテンツを描画して準備しておくための描画フレーム８７６とを備えている。
【００５４】
データ取得部８７１は、通信装置６０によってアプリケーションサーバ２００から受信した画面ＩＤ、および、次画面データや、アプリケーションサーバ２００から受信した画面ＩＤに対応し、外部記憶装置７０に格納されているＨＴＭＬファイルを取得する。
【００５５】
表示画面生成部８７２は、データ取得部８７１によって取得されたデータを用いて、顧客操作画面表示装置５０に表示すべきコンテンツを生成する。このコンテンツの生成については、後述する。
【００５６】
画面描画部８７３は、表示画面生成部８７２によって生成されたコンテンツを、描画フレーム８７６に描画する。
【００５７】
画面切換部８７４は、描画フレーム８７６にコンテンツが描画された後に、描画フレーム８７６と表示フレーム８７５とを切り換える。すなわち、描画フレーム８７６を表示フレーム８７５に切り換えて、表示フレーム８７５に描画されたデータ（表示フレームデータ）を出力して次画面を顧客操作画面表示装置５０に表示させるとともに、それまで表示フレーム８７５に描画されていたコンテンツを消去する。
【００５８】
図６は、表示画面生成部８７２が実行するコンテンツの生成の様子を示す説明図である。図６（ａ）に、アプリケーションサーバ２００から受信した次画面データの一例を示した。また、図６（ｂ）に、アプリケーションサーバ２００から受信した画面ＩＤに対応し、外部記憶装置７０から取得したＨＴＭＬファイルの一例を示した。また、図６（ｃ）には、図６（ａ）に示した次画面データ、および、図６（ｂ）に示したＨＴＭＬファイルに基づいて生成されるコンテンツ（ＨＴＭＬファイル）を示した。
【００５９】
図６（ｂ）に示したＨＴＭＬファイルには、コンテンツの文書構造、および、レイアウトや、例えば、＜ＴＥＸＴ＞，＜／ＴＥＸＴ＞というタグによって挟まれたテキストデータ等の静的要素データと、動的要素データのデフォルト値とが規定されている。表示画面生成部８７２は、次画面データに記された動的要素データのＩＤに基づいて、外部記憶装置７０から取得したＨＴＭＬファイルの中から、動的要素データ検索し、そのデフォルト値を、図中に破線で示したように、次画面データの各動的要素データの値に置き換え、図６（ｃ）に示したコンテンツ（ＨＴＭＬファイル）を生成する。
【００６０】
図７は、顧客操作画面表示装置５０の表示画面に表示されるコンテンツを示す説明図である。図７（ａ）に、表示画面生成部８７２によって生成されたコンテンツ（ＨＴＭＬファイル）の一例を示した。また、図７（ｂ）には、図７（ａ）に示したコンテンツに基づいて、顧客操作画面表示装置５０に表示される表示画面Ｗ１を示した。
【００６１】
図７（ａ）に示したように、「Ｖ_ＩＤ０００１」、「Ｖ_ＩＤ０００２」、「Ｖ_ＩＤ０００３」、「Ｖ_ＩＤ０００５」、「Ｖ_ＩＤ０００６」は、それぞれ図７（ｂ）に示した「お引きだし」ボタンＢ１、「お預け入れ」ボタンＢ２、「お借り入れ」ボタンＢ３、領域Ｒ１、領域Ｒ２に対応するＩＤである。そして、「Ｖ_ＩＤ０００１」、および、「Ｖ_ＩＤ０００２」の属性「ｖｉｓｉｂｉｌｉｔｙ」の属性値は「ｔｒｕｅ」であるから、図７（ｂ）に示したように、表示画面Ｗ１には、「お引きだし」ボタンＢ１、および、「お預け入れ」ボタンＢ２は表示され、「Ｖ_ＩＤ０００３」の属性「ｖｉｓｉｂｉｌｉｔｙ」の属性値は「ｆａｌｓｅ」であるから、「お借り入れ」ボタンＢ３は非表示となる。また、「Ｖ_ＩＤ０００５」、および、「Ｖ_ＩＤ０００６」の属性「ｖａｌｕｅ」の属性値に含まれる「Ｍ」、「Ｅ」は、それぞれ「万」、「円」を意味しており、図示した例では、「Ｖ_ＩＤ０００５」、「Ｖ_ＩＤ０００６」の属性「ｖａｌｕｅ」の属性値は、それぞれ「１０ＭＥ」、「５ＭＥ」であるから、図７（ｂ）に示した領域Ｒ１、および、領域Ｒ２には、それぞれ「￥１００，０００」、および、「￥５０，０００」が表示される。なお、本実施例では、「１０ＭＥ」を「￥１００，０００」に変換して表示するものとしたが、これに限られず、例えば、「１００，０００円」や、「１０万円」に変換して表示するようにしてもよい。
【００６２】
Ｄ．表示画面切換処理：
図８は、表示画面切換処の流れを示すフローチャートである。この処理は、顧客による現金自動取引装置１００の操作に応じて、顧客操作画面表示装置５０の表示画面を切り換える処理である。図の左側には、現金自動取引装置１００の制御装置８０における処理の流れを示し、図の右側には、アプリケーションサーバ２００における処理の流れを示した。
【００６３】
まず、制御装置８０は、表示画面を切り換えるべきイベントが発生したか否かを判断する（ステップＳ１００）。表示画面を切り換えるべきイベントが発生したか否かは、顧客によって、顧客操作画面表示装置５０の操作画面上で表示画面の切り換えを伴う操作が行われたか否かによって判断する。例えば、取引の種類を選択する画面が表示されているときに、顧客によって所望の取引が選択するボタンが押下された場合には、表示画面を切り換えるべきイベントが発生したと判断する。
【００６４】
表示画面を切り換えるべきイベントが発生した場合には（ステップＳ１００：ＹＥＳ）、そのイベントがアプリケーションサーバ２００における業務処理を伴うイベントであるか否かを判断する（ステップＳ１１０）。発生したイベントがアプリケーションサーバ２００における業務処理を伴うイベントである場合には（ステップＳ１１０：ＹＥＳ）、その業務処理を実行させるためのＨＴＴＰリクエストを生成し、アプリケーションサーバ２００に送信する（ステップＳ１２０）。この際、アプリケーションサーバ２００によって実行すべき業務処理を特定するための情報や、必要に応じて、カードや、通帳から取得した顧客の口座番号や、顧客によって入力された暗証番号なども送信する。
【００６５】
次に、アプリケーションサーバ２００は、現金自動取引装置１００からＨＴＴＰリクエスト等を受信し（ステップＳ１３０）、業務処理部２４０によって、これを解析して、要求された業務処理を実行する（ステップＳ１３１）。そして、先に説明したように、業務処理の結果として、画面ＩＤ、および、画面表示データを決定し、画面表示データを画面表示データ格納部２２０に一時的に格納する（ステップＳ１３２）。そして、業務処理によって決定された画面ＩＤに対応する動的要素リストを次画面データ生成部２５０によって動的要素リスト記憶部２３０から読み出し、画面表示データ格納部２２０に格納された画面表示データと次画面データを生成する（ステップＳ１３４）。そして、アプリケーションサーバ２００は、ＨＴＴＰレスポンス、および、画面ＩＤ、次画面データを現金自動取引装置１００に送信する（ステップＳ１３５）。
【００６６】
次に、現金自動取引装置１００の制御装置８０は、アプリケーションサーバ２００からＨＴＴＰレスポンス、および、画面ＩＤ、次画面データを受信し（ステップＳ１４０）、その受信データを展開し（ステップＳ１５０）、ブラウザ８７によって、先に説明したように、顧客操作画面表示装置５０に表示すべきコンテンツであるＨＴＭＬファイルを生成する（ステップＳ１６０）。そして、描画フレーム８７６に次画面を描画し（ステップＳ１７０）、表示フレーム８７５と描画フレーム８７６とを切り換え、顧客操作画面表示装置５０の表示画面を切り換える（ステップＳ１８０）。
【００６７】
ステップＳ１１０において、表示画面を切り換えるべきイベントがアプリケーションサーバ２００における業務処理を伴わないイベントではない場合には（ステップＳ１１０：ＮＯ）、制御装置８０は、ブラウザ８７によって、外部記憶装置７０から表示すべきＨＴＭＬファイルを取得する（ステップＳ１１２）。そして、描画フレーム８７６に次画面を描画し（ステップＳ１７０）、表示フレーム８７５と描画フレーム８７６とを切り換え、顧客操作画面表示装置５０の表示画面を切り換える（ステップＳ１８０）。
【００６８】
次に、制御装置８０は、取引が終了したか否かを判断する（ステップＳ１９０）。例えば、顧客によって、顧客操作画面表示装置５０の操作画面上で取引終了ボタンが押下された場合には、取引が終了したと判断する。取引が終了した場合には、表示画面切換処理を終了する。顧客によって、顧客操作画面表示装置５０の操作画面上で引き続き取引を継続する操作が行われた場合には、ステップＳ１００に戻る。
【００６９】
以上説明した本実施例の現金自動取引システム１０００では、アプリケーションサーバ２００は、現金自動取引装置１００からのリクエストに応じて、現金自動取引装置１００の顧客操作画面表示装置５０の表示画面にコンテンツを表示させるために、画面ＩＤと、次画面データとを決定し、現金自動取引装置１００に送信する。そして、現金自動取引装置１００は、アプリケーションサーバ２００から受信した画面ＩＤに対応するＨＴＭＬファイルと、次画面データとを用いてコンテンツを生成し、顧客操作画面表示装置５０の表示画面に表示する。つまり、本実施例の現金自動取引システム１０００では、先に説明した従来技術のように、アプリケーションサーバ２００がコンテンツを生成して現金自動取引装置１００に送信する必要はない。したがって、アプリケーションサーバ２００から現金自動取引装置１００へ送信するデータのサイズを従来よりも縮小することができ、通信時間を短縮することができる。この結果、現金自動取引装置１００の顧客操作画面表示装置５０の表示画面にコンテンツを表示するまでの時間を短縮することができる。本発明は、上述した実施例のように、現金自動取引装置１００とアプリケーションサーバ２００とを通信速度が比較的遅い通信回線を介して接続した現金自動取引システム１０００において特に有効である。
【００７０】
Ｅ．変形例：
以上、本発明の実施の形態について説明したが、本発明はこのような実施の形態になんら限定されるものではなく、その要旨を逸脱しない範囲内において種々なる態様での実施が可能である。例えば、以下のような変形例が可能である。
【００７１】
Ｅ１．変形例１：
上記実施例では、コンテンツの文書構造や、レイアウトを規定したファイルとしてＨＴＭＬファイルを用いるものとしたが、これに限られない。例えば、ＸＨＴＭＬ（eXtensible HyperText Markup Language）や、ＸＭＬ（eXtensible Markup Language）等、他のマークアップ言語を用いてコンテンツの文書構造や、レイアウトを規定したファイルを用いるようにしてもよい。
【００７２】
Ｅ２．変形例２：
上記実施例では、動的要素データの属性値には、デフォルト値が設定されているものとしたが、動的要素データの属性値に、デフォルト値が設定されていないようにしてもよい。この場合、アプリケーションサーバ２００は、業務処理によって決定し画面表示データのすべてを、次画面データとして現金自動取引装置１００に送信するようにすればよい。
【００７３】
Ｅ３．変形例３：
上記実施例では、アプリケーションサーバ２００は、現金自動取引装置１００からのリクエストに応じて、画面ＩＤ、および、次画面データを決定し、これら双方を現金自動取引装置１００に送信するものとしたが、これに限られない。例えば、現金自動取引装置１００において、次に表示すべきコンテンツの画面ＩＤが規定されている場合等には、アプリケーションサーバ２００における画面ＩＤの決定、および、送信を省略してもよい。
【００７４】
Ｅ４．変形例４：
上記実施例では、アプリケーションサーバ２００の業務処理部２４０が実行する各業務処理は、複数の工程に区分されているものとしたが、区分されていなくてもよい。
【００７５】
Ｅ５．変形例５：
上記実施例では、本発明の情報表示システムを現金自動取引システム１０００に適用したが、これに限られない。例えば、いわゆる自動契約装置や、ＫＩＯＳＫ端末の表示画面にコンテンツを表示させる情報表示システムに適用してもよい。
【図面の簡単な説明】
【００７６】
【図１】本発明の情報表示システムを適用した現金自動取引システム１０００の概略構成を示す説明図である。
【図２】アプリケーションサーバ２００の構成を示す説明図である。
【図３】業務処理部２４０が実行する業務処理について示す説明図である。
【図４】次画面データ生成部２５０が実行する次画面データの生成について示す説明図である。
【図５】ブラウザ８７の構成を示す説明図である。
【図６】表示画面生成部８７２が実行するコンテンツの生成の様子を示す説明図である。
【図７】顧客操作画面表示装置５０の表示画面に表示されるコンテンツを示す説明図である。
【図８】表示画面切換処の流れを示すフローチャートである。
【符号の説明】
【００７７】
１０００...現金自動取引システム
１００...現金自動取引装置
１０...現金取扱装置
２０...カード読取装置
３０...通帳取扱装置
４０...明細票印字装置
５０...顧客操作画面表示装置
６０...通信装置
７０...外部記憶装置
８０...制御装置
８１...現金取扱装置制御部
８２...カード読取装置制御部
８３...通帳取扱装置制御部
８４...明細票印字装置制御部
８５...顧客操作画面表示装置制御部
８６...通信装置制御部
８７...ブラウザ
８７１...データ取得部
８７２...表示画面生成部
８７３...画面描画部
８７４...画面切換部
８７５...表示フレーム
８７６...描画フレーム
８８...主制御部
２００...アプリケーションサーバ
２１０...業務プログラム記憶部
２２０...画面表示データ格納部
２３０...動的要素リスト記憶部
２４０...業務処理部
２５０...次画面データ生成部
２６０...通信部
３００...ホストコンピュータ
ＬＡＮ...ローカルエリアネットワーク
ＩＮＴ...インターネット
Ｗ１...表示画面
【図１】
2006350942.tif 000003
【図２】
2006350942.tif 000004
【図３】
2006350942.tif 000005
【図４】
2006350942.tif 000006
【図５】
2006350942.tif 000007
【図６】
2006350942.tif 000008
【図７】
2006350942.tif 000009
【図８】
2006350942.tif 000010